(57)【要約】      （修正有）【課題】劣化等の原因でコロナ放電を起し分解された大気中の酸素から、発生するオゾン臭を感知、機器破損や突発停電を防止する高圧受配電設備のコロナ放電検出装置を提供する。【解決手段】オゾンガス臭検出装置に警報手段を備えられた、コロナ放電検出装置４が、高電圧受配電設備内に設けられ、オゾンガス検出装置がオゾンガスを検出することで、高電圧受配電設備内の高圧負荷開閉器１などの電気機器のコロナ放電現象を検出し、その電気機器を異常と判定し、警報手段により警報信号を発生させる。高電圧受配電設備内に設けた、濃度監視が可能なオゾンガスを検出する装置を特徴とする。【選択図】図１
0003189505.tif 000002
【実用新案登録請求の範囲】
【請求項１】
オゾンガス臭検出装置と前記オゾンガス臭検出装置に警報手段を備えられた、コロナ放電検出装置は、前記オゾンガス検出装置と警報手段とが、高電圧受配電設備内に設けられ、前記オゾンガス検出装置がオゾンガスを検出することで、前記高電圧受配電設備内の電気機器のコロナ放電現象を検出し、コロナ放電現象が検出された前記電気機器を異常と判定し、前記警報手段により警報信号を発生させる事を特徴とする高電圧受配電設備のコロナ放電検出装置。
【考案の詳細な説明】
【技術分野】
【０００１】この考案は、高電圧受配電設備が経年劣化等により、コロナ放電現象を発生した場合、高電圧受配電設備内の酸素を分解してオゾンガスが発生する。このガスを検出することによりコロナ放電現象を捕促し高圧受配電機器が絶縁破壊に至たるまえに、当該機器を更新し、破損事故・突発停電を未然に防止するものである。
【背景技術】
【０００２】高圧受配電設備は、月例・年次の定期点検及び、数年毎の精密点検が法律で義務付けされており、また、臨時に点検して異常を発見した場合は、所定の専用計測機器で検査・診断を行い異常状態を除去するが、復旧作業にかかる時間・経済的損失は多大となる。
【先行技術】
【特許・考案に関係する文献】
【０００３】オゾンガス・センサ−の文献はあるが、高圧受配電設備に常備して連続監視・警報を発生するものはない。
また、コロナ現象リーク音については、次の内容が周知されている。
高電圧受配電設備の、絶縁耐力試験を実施したとき
１）「ジジジジ・・・・」と連続吃音が発生する。
２）周囲が暗いと青白い光を認めることが出来る。
３）湿度が高い場合は、１）項のような独特のリーク音が認められる。
４）高電圧機器の口出し線が、接近している個所や、極端に折り曲げている箇所からも、この現象は見られる。
５）充電部分が鋭角で、絶縁物に接しているケースでは、コロナリークがあった跡は、表面が白色化して、内部は徐々にカーボン化する。
これらの現象は公知のものである。また高電圧受配電設備が、その機能を低下させ、オゾンガスを発生したときは、人間の五感によって、その機能低下を確認されている。
現在は連続してオゾンガスを常時監視し、異常発生時、これを知らせる検出装置はない。
【考案の概要】
【考案が解決しようとする課題】
【０００４】本考案に係わるコロナ放電検出装置は、函体型及び開放型高圧受配電設備内で、オゾンガス発生対象機器（高電圧交流負荷開閉器等）
を内蔵した装置・機器に接近して装備されるもので、次の条件を充たす場所に設備する。
１）  オゾンセンサーは０〜２５０  ｐｐｂで制禦
２）  コロナリーク音を感知できる離隔距離。
３）  湿度５０％以下。
４）  高電圧機器の口出し線からは１００ｍｍ（離隔距離）
コロナ放電によって、分解された大気中の酸素から発生するオゾン・ガス臭（生臭い・魚の腐った様な臭気）を検出して、現象を確認する。その信号を監視盤へ送り機器破損・突発停電を未然に防止する。
【課題を解決するための手段】
【０００５】  １）  常時、予め設定した濃度の範囲内で検出する。（同じ水準で）
２）  人間の臭覚感知は、オゾン濃度  ０〜５０  ｐｐｂである。
３）  オゾンセンサーは  ０〜２５０  ｐｐｂで感知する。
この２）３）の濃度レベル幅を監視して、前出対象機器が破損、突発停電を起こす要因に至る前に、コロナ放電から発生するオゾン臭を感知し、このオゾン臭発生の要因を、除去する装置を提供する。
【考案実施の効果】
【０００６】１）高電圧受配電設備のコロナ放電による、損壊状況を２４時間連続監視できる。
２）オゾンガス濃度を監視しで設備機器の状況が把握でき、対策が事前に出来る。
３）機器破損・突発停電が防止できる。
４）原因不明の当該機器故障の要因を、早期に発見・除去できる。
【図面の簡単な説明】
【０００７】
【図１】オゾンガス臭を発生する高電圧受配電機器のコロナ放電現象を、容易に捕捉出来る箇所に装着したコロナ放電検出装置［常設］  （１）函体型受配電設備  （２）開放型受配電設備  （３）高圧交流負荷開閉器（当該ガス発生対象、電気機器の例）
【図２】オゾンガス臭検出センサー姿図（外観図）（部品面）（半田面）
【図３】オゾンガス臭検出センサー・ブロック図（定置型）（可搬式携帯用）
【図４】高圧受配電設備機器使用例（説明図）
【考案を実施するための形態】
【０００８】臭覚の敏感でない電気管理技術者を対象に、携帯用オゾン感知器を、絶縁機能を持つ伸縮棒の先端に装備し、当該電気機器を点検することも可能である。
また、本考案を実施するための、形態について説明する。高電圧受配電設備の、内部に装置している電気機器の、絶縁状態が劣化して、機能維持が困難になると、センサー周辺の酸素を分解してオゾンガスが発生する。この発生したオゾンガスを捕捉して、コロナ放電現象を検出し、電気機器の絶縁破壊に至る前に、当該電気機器を特定して更新し、機器破損事故を未然に防止する。
このコロナ放電検出装置により、外部へ警報信号を送り、オゾンガス臭を濃度値により機器の損傷程度を特定して処置をする。
0003189505.tif 000003
【手続補正書】
【提出日】平成25年12月19日(2013.12.19)
【手続補正１】
【補正対象書類名】図面
【補正対象項目名】全図
【補正方法】変更
【補正の内容】
【図１】
0003189505.tif 000004
【図２】
0003189505.tif 000005
【図３】
0003189505.tif 000006
【図４】
0003189505.tif 000007
【図５】
0003189505.tif 000008
【図６】
0003189505.tif 000009
【図７】
0003189505.tif 000010
【図８】
0003189505.tif 000011
【図９】
0003189505.tif 000012
【手続補正２】
【補正対象書類名】明細書
【補正対象項目名】０００７
【補正方法】変更
【補正の内容】
【０００７】
【図１】オゾンガス臭を発生する高電圧受配電機器のコロナ放電現象を、容易に捕捉できる箇所に装着したコロナ放電検出装置（常設）
【図２】函体型受配電設備外観図
【図３】断路器、
【図４】高圧遮断器・・オゾンガス発生箇所
【図５】高圧負荷開閉器（ヒューズ分離型）・・オゾンガス発生箇所
【図６】高圧負荷開閉器（ヒューズ一体型）・・オゾンガス発生箇所
【図７】図面の簡単な説明・・・定置型  「先行技術」「０００３」に記載の通り、高圧受配電設備に常備して連続監視・警報を知らせるものはない、異常を発見出来る計測器を「図７」に示す。
【図８】図面の簡単な説明・・・携帯型  「先行技術」「０００３」に記載の通り、高圧受配電設備に常備して連続監視・警報を知らせるものはない。異常を発見出来る計測器を「図８」に示す。知らせるものはない。
【図９】オゾンガス検出のプロセス簡単な説明